(57)【要約】【課題】操作者の意思にもとづいて再入力ができ、再入力操作を容易に行うことができる入力装置を提供する。【解決手段】操作者がタッチパネルディスプレイ２に表示された文字スイッチの入力操作中に「修正」スイッチに触れ、文字入力装置１が文字の修正指示を受け付けた場合、強調処理部１３が操作者が誤って入力した文字に対応するスイッチの周囲のスイッチを拡大して表示する。これにより操作者は、タッチパネルディスプレイ２に拡大されたスイッチが表示されているため、文字の再入力時に正しいスイッチに容易に触れることができ、文字入力の利便性を向上させることができる。【選択図】図１
2007140900.tif 000002
【特許請求の範囲】
【請求項１】
画面上に複数の選択部を表示して、操作者によって選択された選択部の検出を行う入力装置において、
検出した前記選択部の修正指示を操作者から受け付ける修正受付手段と、
前記選択部を強調して提示する強調提示手段と、を備え、
前記強調提示手段は、前記修正受付手段が操作者からの修正指示を受け付けた場合に、前記選択部を強調して提示することを特徴とする入力装置。
【請求項２】
前記強調提示手段は、前記修正受付手段によって操作者からの修正指示を受け付ける前に、操作者が選択した選択部の周囲の所定範囲の選択部を強調して提示することを特徴とする請求項１に記載の入力装置。
【請求項３】
前記強調提示手段は、前記操作者が選択した選択部の周囲の所定範囲の選択部を拡大し、該拡大した選択部のみを前記画面上に表示する、または前記操作者が選択した選択部の周囲の所定範囲の選択部のみを拡大し、それ以外の選択部を縮小して前記画面上に表示することを特徴とする請求項２に記載の入力装置。
【請求項４】
前記強調提示手段は、前記操作者が選択した選択部の周囲の所定範囲の選択部とそれ以外の選択部との輝度を変更して前記画面上に表示することを特徴とする請求項２または３に記載の入力装置。
【請求項５】
前記強調提示手段は、前記操作者が選択した選択部に対応する音声を出力することを特徴とする請求項１から４のいずれか１に記載の入力装置。
【請求項６】
操作者から、前記強調提示の解除指示を受け付ける解除受付手段とを備え、
前記強調提示手段は、前記解除受付手段が操作者からの解除指示を受け付けた場合に、前記強調提示を解除することを特徴とする請求項１から５のいずれか１に記載の入力装置。
【請求項７】
画面上に複数の選択部を表示して、操作者によって選択された選択部の検出を行う入力検出方法において、前記選択部の修正指示を操作者から受け付けると、前記選択部を強調して提示することを特徴とする入力検出方法。
【発明の詳細な説明】
【技術分野】
【０００１】
本発明は、タッチパネル等に触れることによって入力文字等を決定する入力装置に関する。
【背景技術】
【０００２】
従来、カーナビゲーションなどに代表される車載機の情報端末には、情報提供のための表示部、および入力操作を行うための入力部とが備えられている。
また、スペースの効率化や、操作の分かり易さを向上させるために、表示部を入力部として用いることが多くなってきている。
これは、表示部の画面上に接触素子を装着し、利用者が指などを用いて画面上に表示されたスイッチ領域に触れることで入力を行うものである。
【０００３】
しかしながら、カーナビゲーションなどの車載機において、画面に表示されたスイッチに触れて入力操作を行う際に、車両の揺れやスイッチの表示領域の面積が小さいなどの理由により、利用者の意図に反して想定外のスイッチに触れてしまうことがある。
そこで特許文献１に記載の入力装置においては、操作者が触れた表示画面上の位置から、特定のスイッチへ関連付けができない場合（たとえば、操作者がスイッチとスイッチの間の領域に触れた場合など）には、スイッチの表示を大きくするなどスイッチの位置を強調し、再度操作者のスイッチ入力操作を受付可能としている。
これにより操作者は、スイッチを正しく押す（スイッチが表示された領域を正確に触れる）ことができなかった場合であっても、強調されたスイッチを見ながら、再度入力操作を行うことができ、正しく入力操作を行うことができるものである。
【特許文献１】特開２００５−４４０２６号公報
【発明の開示】
【発明が解決しようとする課題】
【０００４】
しかしながら、このような従来の入力装置においては、操作者が触れた位置から特定のスイッチへの関連付けができない場合に、スイッチの強調表示を行って再度入力操作を受け付けるものであるが、たとえば操作者が間違ったスイッチに触れてしまった場合には、入力装置は当該入力を正しい入力であるものとして認識してしまい、操作者は誤入力を修正するために再度入力操作を行うことができないといった問題があった。
【０００５】
そこで本発明はこのような問題点に鑑み、操作者の意思にもとづいて再入力ができ、再入力操作を容易に行うことができる入力装置を提供することを目的とする。
【課題を解決するための手段】
【０００６】
本発明は、画面上に複数の選択部を表示して、操作者によって選択された選択部の検出を行う入力装置において、修正受付手段によって、検出した選択部の修正指示を操作者から受け付け、強調提示手段は、修正受付手段が操作者からの修正指示を受け付けた場合に、前記選択部を強調して提示するものとした。
【発明の効果】
【０００７】
本発明によれば、選択部の修正指示を修正受付手段が受け付けた場合に、強調提示手段が、操作者が誤って選択した選択部の周囲の選択部を強調して提示することにより、操作者は、選択部の再選択時に強調して提示された選択部を視認して正しい選択部に容易に触れることができ、操作者による入力操作の利便性を向上させることができる。
【発明を実施するための最良の形態】
【０００８】
次に本発明の実施の形態を実施例により説明する。
まず、第１の実施例について説明する。
図１に、第１の実施例の全体構成を示す。
表示画面２Ａと、該表示画面２Ａの表面に接触座標を感知可能な素子が配置されたタッチパネルディスプレイ２と、操作者がタッチパネルディスプレイ２のどの位置に触れたかを判別する入力座標検出部３と、操作者がタッチパネルディスプレイ２に触れた位置に応じて、対応するスイッチ動作の実行を制御したり、対応するスイッチに応じてスイッチの強調表示の実行指示を行ったりする入出力制御部４と、入出力制御部４からの指示に応じて、スイッチの強調表示の実行処理を行う強調表示制御部５と、入出力制御部４からの指示に応じて、操作されたスイッチに対応する動作を実行する処理実行部６とより文字入力装置１が構成される。
処理実行部６は、たとえばナビゲーション機能の誘導経路案内における目的地入力処理などを行うものである。
【０００９】
強調表示制御部５は、タッチパネルディスプレイ２上に表示するスイッチの強調表示用の画面データが記憶された記憶部１１と、記憶部１１に格納された強調画面データを読み込む画面読込部１０と、後述の座標記憶部１４に記憶された座標より強調表示を行う範囲を決定する強調範囲決定部１２と、強調範囲決定部１２で決定された範囲にもとづいてタッチパネルディスプレイ２に表示する画像を作成する強調処理部１３と、操作者が触れたタッチパネルディスプレイ２上の座標を記憶する座標記憶部１４とより構成される。
文字入力装置１は、操作者から入力文字の修正指示があった場合に、強調表示制御部５においてスイッチの画面表示を行い、強調されたスイッチをタッチパネルディスプレイ２に表示することによって操作者が容易に入力文字の修正を行う。また、操作者からの修正指示がない場合には、処理実行部６において通常の文字入力処理を行う。
【００１０】
次に、文字の入力処理の詳細について説明する。
なお以下において、画面上にキーボードが表示され、５０音入力によってカーナビゲーションの目的地設定を施設名（ここでは、駅名）で行う例を示す。
図２に、文字入力処理の流れを示す。
ステップ１００において、入出力制御部４は文字の入力操作用の画像をタッチパネルディスプレイ２に表示する。
これによって図３に示すように、５０音を入力するためのスイッチＹなどがタッチパネルディスプレイ２上に表示される。
【００１１】
ステップ１０１において入力座標検出部３は、操作者がタッチパネルディスプレイ２上に表示したスイッチ（ここでは、図３に示す５０音を入力するためのスイッチＹ、「修正」を指示するためのスイッチＺや、「検索」を指示するためのスイッチＷなど）に触れたかどうかを判断し、触れたと判断した場合には、操作者による入力操作があったものとしてステップ１０２へ進む。操作者がタッチパネルディスプレイ２に触れていない場合には、ステップ１０１の処理を繰り返し、操作者がタッチパネルディスプレイ２に触れたかどうかの監視を続ける。
ステップ１０２において入力座標検出部３は、操作者がタッチパネルディスプレイ２上のどの位置に触れたかを、入力座標として検出する。
なお操作者は、「よこはまえき（横浜駅）」と入力しようとしているものとする。
ステップ１０３において座標記憶部１４は、ステップ１０２で検出された入力座標を記憶する。
【００１２】
ステップ１０４において入出力制御部４は、ステップ１０２において検出された入力座標とタッチパネルディスプレイ２に表示した画像データとにもとづいて、操作者が触れた位置に対応するスイッチを検出する。
ステップ１０５において入出力制御部４は、検出したスイッチが図示しない「キャンセル」スイッチなどの入力操作を終了する旨のスイッチであるかどうか、または、「検索」や図示しない「ダイヤル」などの動作を実行させる旨のスイッチであるかどうかを判断する。
入力終了または動作実行の旨のスイッチである場合には、処理実行部６に対して、対応する動作を行う旨の指示を行い、文字入力の受付処理を終了する。一方、入力終了または動作実行の旨のスイッチでない場合にはステップ１０６へ進む。
【００１３】
ステップ１０６において入出力制御部４は、検出したスイッチが修正を指示する旨のスイッチ、具体的には図３の「修正」を指示するためのスイッチＺであるかどうかを判断する。
「修正」を指示するためのスイッチＺである場合にはステップ１０８へ進み、そうでない場合にはステップ１０７へ進む。
ステップ１０７において入出力制御部４は、ステップ１０４で検出されたスイッチＹに対応する文字を受け付けてステップ１０１へ戻り、次の文字入力操作があるかどうかの監視を行う。
【００１４】
一方、たとえば図４に示すように、操作者がタッチパネルディスプレイ２に表示されたスイッチＹのうち「よ」、「こ」に触れて、文字入力装置１が「よ」、「こ」を受け付けた後、操作者が「は」と入力しようとしたところ、誤って「に」のスイッチに触れてしまった場合、操作者は「修正」を指示するためのスイッチＺに触れて文字の修正を行おうとする。
この入力操作をステップ１０６において入出力制御部４が検出すると、ステップ１０８へ進む。
なお、操作者が誤って触れた「に」を入力するためのスイッチを、スイッチＹａとする。
【００１５】
ステップ１０８において強調範囲決定部１２は、座標記憶部１４を参照することにより、操作者が「修正」の前に触れたスイッチＹａの座標を取得し、強調範囲を決定する。
ここで文字入力装置１は、操作者からの修正指示があった場合、誤って入力されたスイッチＹａの周囲のスイッチを拡大して表示して、操作者が再度入力を行う際に正しいスイッチに容易に触れることができるようにするものである。
【００１６】
ステップ１０９において強調処理部１３は、ステップ１０８で決定された強調範囲と、画面読込部１０によって記憶部１１から読み込んだ強調画面データとより、スイッチが強調された画像を生成し、タッチパネルディスプレイ２に表示する。
具体的には、図４に示すように操作者は「に」の周囲のスイッチに触れるつもりが誤って「に」を入力するためのスイッチＹａに触れてしまったと考えられるため、図５に示すように「に」の周囲のスイッチＹｂを拡大し、該拡大したスイッチＹｂと操作者が誤って触れたスイッチＹａの画像のみをタッチパネルディスプレイ２に表示する。
なお、強調範囲外のスイッチはタッチパネルディスプレイ２に表示しない。
また、「に」を入力するためのスイッチＹａは、操作者が触れても機能しないようになっている。
【００１７】
ここで、強調範囲の設定方法について説明する。
強調範囲決定部１２は、座標記憶部１４を参照することにより操作者が「修正」の前に触れたスイッチ（ここでは、「に」）上のどの位置に触れたかにもとづいて強調範囲を設定する。
具体的には強調範囲決定部１２は、「に」のスイッチＹａを左右に２分割して、操作者がスイッチＹａの右側部分に触れているか、または左側部分に触れているかを判断する。
強調範囲決定部１２は、右側半分の領域に触れたと判断した場合には、操作者は実際には「に」よりも右側のスイッチに触れる予定であったものとして、「に」よりも右側のスイッチがタッチパネルディスプレイ２上に多く表示されるように強調範囲を設定する。
【００１８】
これにより図５に示すように「に」の周囲の「た」、「ち」、「つ」、「な」、「ぬ」、「は」、「ひ」、「ふ」に加えてこれらのスイッチの右側の「ま」、「み」、「む」を強調範囲として設定する。（「た」、「ち」、「つ」、「な」、「ぬ」、「は」、「ひ」、「ふ」、「ま」、「み」、「む」を入力するためのスイッチがスイッチＹｂとなる。）
なお強調範囲決定部１２は、「に」に隣接する「た」、「ち」、「つ」、「な」、「ぬ」、「は」、「ひ」、「ふ」については、操作者がスイッチに触れた位置にかかわらず強調範囲に含めるものとする。
一方、操作者が「に」の左半分の領域に触れたと判断した場合には、「に」の周囲の「た」、「ち」、「つ」、「な」、「ぬ」、「は」、「ひ」、「ふ」に加えてこれらのスイッチの左側の「さ」、「し」、「す」を強調範囲として設定する。
【００１９】
図２に戻り、ステップ１１０において入出力制御部４は、強調表示を解除するための強調表示解除スイッチＸ（図５参照）に操作者が触れたかどうかを判断する。
この強調表示解除スイッチは、操作者が意図せず拡大表示になってしまった場合や、連続して入力の修正を行う場合など、強調表示を行っておく必要がない場合に、強調表示を操作者の意思によって解除するためのスイッチである。
操作者が強調表示解除スイッチＸに触れたと判断した場合にはステップ１１７へ進み、ステップ１１７において強調処理部１３がスイッチの強調表示を解除した後、ステップ１０１へ戻り上述の処理を繰り返す。
【００２０】
一方、操作者が強調表示解除スイッチＸに触れていないと判断された場合には、ステップ１１１へ進む。
ステップ１１１において入力座標検出部３は、操作者がタッチパネルディスプレイ２上に表示された強調されたスイッチ（図５に示す拡大されたスイッチ）に触れたかどうかを判断し、触れたと判断した場合には、操作者による入力操作があったものとしてステップ１１２へ進む。操作者がタッチパネルディスプレイ２に触れていない場合には、ステップ１１１の処理を繰り返し、操作者がタッチパネルディスプレイ２に触れたかどうかの監視を続ける。
【００２１】
ステップ１１２において入力座標検出部３は、操作者がタッチパネルディスプレイ２上のどの位置に触れたかを、入力座標として検出する。
ステップ１１３において入出力制御部４は、ステップ１１２において検出された入力座標とタッチパネルディスプレイ２に表示した画像データとにもとづいて、操作者が触れた位置に対応するスイッチを検出する。
ステップ１１４において入出力制御部４は、検出したスイッチが修正を指示する旨のスイッチ、具体的には図５の「修正」を指示するためのスイッチＺであるかどうかを判断する。
「修正」を指示するためのスイッチＺである場合には、強調表示解除スイッチＸに触れられた場合と同様に、操作者が意図せず拡大表示になってしまった場合や、連続して入力の修正を行う場合など、強調表示を行っておく必要がない場合であるものとして、ステップ１１７へ進み強調表示を解除する。
一方、「修正」を指示するためのスイッチＺでない場合にはステップ１１５へ進む。
【００２２】
ステップ１１５において強調処理部１３は、強調表示を解除する。
ステップ１１６において入出力制御部４は、ステップ１１３で検出されたスイッチに対応する文字を受け付けてステップ１０１へ戻り、次の文字入力操作があるかどうかの監視を行う。
これにより図６に示すように、操作者によって正しく入力された「は」を受け付けることができる。
なお本実施例において、タッチパネルディスプレイ２に表示した５０音や「修正」などのスイッチが、本発明における選択部を構成し、ステップ１０６が本発明における修正受付手段を構成する。またステップ１０８、１０９が本発明における強調提示手段を構成し、表示画面２Ａが本発明における画面を構成する。
【００２３】
本実施例は以上のように構成され、入力された文字の入力操作中に、操作者が「修正」を指示するためのスイッチＺに触れ、文字の修正指示があった場合、操作者が誤って入力した文字に対応するスイッチの周囲のスイッチを強調して表示する。これにより操作者は、文字の再入力時に正しいスイッチに容易に触れることができ、文字入力の利便性を向上させることができる。
また、スイッチを強調するために、操作者が誤って触れたスイッチの周囲のスイッチを拡大して表示することにより、操作者は正しいスイッチに容易に触れることができる。
【００２４】
さらに、操作者が修正を行いたい文字（本実施例における「に」のスイッチ）は入力操作を受け付けない状態とすることにより、操作者が再度誤った文字を入力してしまうことを防止することができる。
ステップ１１０において、強調表示解除スイッチＸに操作者が触れた場合に強調表示を解除するものとしたので、操作者が意図せず強調表示になってしまった場合に、通常の入力画面に容易に戻ることができる。
【００２５】
なお本実施例において、操作者から修正指示があった場合に、スイッチを強調させる方法として、操作者が誤って触れたスイッチＹａの周囲のスイッチＹｂを拡大して表示するものとしたが、これに限定されず、たとえば図７に示すように、操作者が誤って触れた「に」を入力するためのスイッチＹａの周囲のスイッチＹｂ（本実施例における強調範囲内のスイッチ）のみを明るく表示し、「に」を入力するためのスイッチＹａと、それ以外の文字入力のためのスイッチＹｃの輝度を落とす。さらに輝度を落としたスイッチＹａ、Ｙｃの入力操作を受け付けないようにすることもできる。
これにより、操作者は「に」の周囲の明るいスイッチＹｂを視認しながら正しいスイッチに容易に触れることができる。また、輝度を落としたスイッチＹａ、Ｙｃは入力操作を受け付けない状態としておくことにより、操作者が誤ったスイッチに触れてしまうことを防止することができる。
【００２６】
また、図８に示すように、操作者が誤って触れた「に」を入力するためのスイッチＹａの周囲のスイッチＹｂ（本実施例における強調範囲内のスイッチ）のみを大きく強調して表示し、それ以外の文字入力のためのスイッチＹｃを小さく表示する。さらに、操作者が誤って触れた「に」のスイッチＹａは、入力操作を受け付けないようにする。
これにより、操作者は「に」の周囲の大きく強調されたスイッチを視認しながら正しいスイッチに容易に触れることができる。
【００２７】
次に第２の実施例について説明する。
図９に、第２の実施例の全体構成を示す。
本実施例における文字入力装置１Ａは、第１の実施例における強調表示制御部５の構成および処理内容を変更した強調表示制御部５Ａを備える。
強調表示制御部５Ａは、画面読込部１０、記憶部１１、強調範囲決定部１２、強調処理部１３、座標記憶部１４に加えて、操作者がタッチパネルディスプレイ２の画面上の同一座標を連続して押し続けた場合の押下継続長を測定する時間計測部１５と、音声を出力する音声再生部１６とを備える。
なお、第１の実施例と同一構成要素については同一番号を付して説明を省略する。
強調表示制御部５Ａは、画面の強調表示中に操作者が触れたスイッチに対応する音声を出力し、文字の入力受付が行われる前に、音声によって操作者に入力される文字をあらかじめ伝えるものである。
【００２８】
次に、文字の入力処理の詳細について説明する。
図１０に、文字入力処理の流れを示す。
なお、ステップ２００〜２０８、２１８〜２２０は、第１の実施例における図２のステップ１００〜１０８、１１５〜１１７と同様であり、説明を省略する。
また操作者は、第１の実施例と同様に、誤って入力してしまった「に」を修正して「は」を入力する場合を例に説明する。
ステップ２０９において強調処理部１３は、ステップ２０８で決定された強調範囲と、画面読込部１０によって記憶部１１から読み込んだ強調画面データとより、図５に示すようにスイッチが強調された画像を生成し、タッチパネルディスプレイ２に表示する。
【００２９】
ステップ２１０において入出力制御部４は、強調表示を解除するための強調表示解除スイッチＸ（図５参照）に操作者が触れたかどうかを判断する。
操作者が強調表示解除スイッチＸに触れたと判断した場合にはステップ２２０へ進み、そうでない場合にはステップ２１１へ進む。
ステップ２１１において入力座標検出部３は、操作者がタッチパネルディスプレイ２上に表示された強調されたスイッチ（図１１に示す拡大されたスイッチＹａ、Ｙｂ）に触れたかどうかを判断する。
触れたと判断した場合には、操作者による入力操作があったものとしてステップ２１２へ進む。操作者がタッチパネルディスプレイ２に触れていない場合には、ステップ２１１の処理を繰り返し、操作者がタッチパネルディスプレイ２に触れたかどうかの監視を続ける。
【００３０】
ステップ２１２において時間計測部１５は、操作者がタッチパネルディスプレイ２に触れている時間の計測を開始する。
ステップ２１３において入力座標検出部３は、操作者がタッチパネルディスプレイ２上のどの位置に触れたかを、入力座標として検出する。
ステップ２１４において入出力制御部４は、ステップ２１３において検出された入力座標とタッチパネルディスプレイ２に表示した画像データとにもとづいて、操作者が触れた位置に対応するスイッチを検出する。
【００３１】
ステップ２１５において入出力制御部４は、検出したスイッチが修正を指示する旨のスイッチ、具体的には図１１の「修正」を指示するためのスイッチＺであるかどうかを判断する。
「修正」を指示するためのスイッチＺである場合にはステップ２２０へ進み強調表示を解除する。
一方、スイッチＺではない場合にはステップ２１６へ進む。
ステップ２１６において音声再生部１６は、ステップ２１４で検出されたスイッチに対応する音声を出力する。たとえば操作者がタッチパネルディスプレイ２の表示画面上の「に」を入力するためのスイッチＹａに触れている場合には、「に、に、に・・・」と音声を出力する。
【００３２】
ステップ２１７において音声再生部１６は、操作者がスイッチに触れ続けている時間が所定の閾値を超えたかどうかを判断する。
これは、ステップ２１２において時間計測部１５によって計測が開始された時間を用いて、所定の閾値と比較をするものである。
時間計測部１５によって計測されている時間が所定の閾値を超えた場合にはステップ２１８へ進む、超えていない場合にはステップ２１１へ戻り、再度、操作者がタッチパネルディスプレイ２のスイッチに触れたかどうかの判断を行う。
【００３３】
ここで操作者は、スイッチの強調表示が行われている状態でタッチパネルディスプレイ２に触れたときに発せられた音声を聞くことによって、現在触れているスイッチが自身が意図しているものか、またはそうでないものであるかを認識することができる。
これにより操作者は、意図しない音声出力があった場合には、音声を聞くと即座にタッチパネルディスプレイ２の画面上のスイッチから指を離して、正しいスイッチに触れようとする。
したがって、時間計測部１５によって計測された時間が所定の閾値を超えるまでに操作者がタッチパネルディスプレイ２の画面上のスイッチから指を離した場合には、操作者は意図しないスイッチに触れてしまった場合であり、再度他の正しいスイッチに触れるものとして、ステップ２１１における処理を繰り返す。
【００３４】
一方操作者は、自身が触れたと考えているスイッチに対応する音声が出力された場合には、当該スイッチに触れた状態を維持する。
操作者がスイッチに触れた状態が所定の閾値を超えたと判断された場合には、操作者が当該スイッチに対応する文字入力を行ったものとして、ステップ２１８において強調処理部１３は強調表示を解除し、ステップ２１９において入出力制御部４が、ステップ２１４で検出されたスイッチに対応する文字を受け付けてステップ２０１へ戻り、次の文字入力操作があるかどうかの監視を行う。
なお本実施例において、タッチパネルディスプレイ２に表示した５０音や「修正」などのスイッチが、本発明における選択部を構成し、ステップ２０６が本発明における修正受付手段を構成する。またステップ２０８、２０９、２１６が本発明における強調提示手段を構成し、表示画面２Ａが本発明における画面を構成する。
【００３５】
本実施例は以上のように構成され、強調画面の表示中に、音声再生部１６は操作者が触れたスイッチに対応する音声を出力することにより、操作者は自身が現在触れているスイッチを聴覚によって容易に認識することができ、正しい入力操作を容易に行うことができる。
また、操作者がスイッチに触れている時間が所定の閾値を超えた場合に当該スイッチの入力を受け付けるものとしたので、操作者は文字の入力操作が受け付けられる前に自身が入力した文字を認識することができ、入力操作の利便性が向上する。
【００３６】
なお上記各実施例において、操作者は実際にタッチパネルなどに圧力を加える（触れる）ことによってスイッチの選択を行うものとしたが、これに限定されず、スイッチに指などを接近させることによって、操作者が触れた位置を検出可能な静電容量式のスイッチなど、他の方法によってスイッチの選択を行うようにしてもよい。
またタッチパネルディスプレイ２にスイッチを強調して表示する際の強調範囲を、操作者がスイッチの右側領域または左側領域に触れたかにもとづいて設定するものとしたが、これ以外にも、スイッチを右上、右下、左上、左下の４つの領域に分割し、たとえば操作者が触れたスイッチの位置に応じて強調範囲を、操作者が誤って触れたスイッチから右上、右下、左上、左下方向にずらして設定するなど、他の方法によって強調範囲を設定してもよい。
【図面の簡単な説明】
【００３７】
【図１】第１の実施例の全体構成を示す図である。
【図２】第１の実施例における文字入力処理の流れを示す図である。
【図３】表示画面例を示す図である。
【図４】表示画面例を示す図である。
【図５】スイッチが拡大された表示画面例を示す図である。
【図６】表示画面例を示す図である。
【図７】強調表示の他の例を示す図である。
【図８】強調表示の他の例を示す図である。
【図９】第２の実施例の全体構成を示す図である。
【図１０】第２の実施例における文字入力処理の流れを示す図である。
【図１１】スイッチが拡大された表示画面例を示す図である。
【符号の説明】
【００３８】
１、１Ａ    文字入力装置
２    タッチパネルディスプレイ
２Ａ    表示画面
３    入力座標検出部
４    入出力制御部
５、５Ａ    強調表示制御部
６    処理実行部
１０    画面読込部
１１    記憶部
１２    強調範囲決定部
１３    強調処理部
１４    座標記憶部
１５    時間計測部
１６    音声再生部
Ｘ    強調表示解除スイッチ
Ｙ、Ｙａ、Ｙｂ、Ｙｃ、Ｗ    スイッチ
【図１】
2007140900.tif 000003
【図２】
2007140900.tif 000004
【図３】
2007140900.tif 000005
【図４】
2007140900.tif 000006
【図５】
2007140900.tif 000007
【図６】
2007140900.tif 000008
【図７】
2007140900.tif 000009
【図８】
2007140900.tif 000010
【図９】
2007140900.tif 000011
【図１０】
2007140900.tif 000012
【図１１】
2007140900.tif 000013